(57)【特許請求の範囲】
【請求項１】
それぞれの中央部を互いに回転自在に軸着した１対の長尺部材（２ａ，２ｂ）を有する支持部材（６）と、長手方向に長穴が形成された上長穴部（８）を有する上部材（１０）と、長手方向に１対の長穴が形成された下長穴部（１２ａ，１２ｂ）を有しかつ前記上部材（１０）に相対向するように所定間隔をおいて対設された下部材（１４）とからなり、前記上長穴部（８）の内側上面には前記長尺部材（２ａ，２ｂ）の上端係合部（１６ａ，１６ｂ）が係合可能である多数の上係合凹部（２０）が形成されると共に、前記下長穴部（１２ａ，１２ｂ）の内側下面には前記長尺部材（２ａ，２ｂ）の下端係合部（１８ａ，１８ｂ）が係合可能である多数の下係合凹部（２２ａ，２２ｂ）が形成されており、前記１対の長尺部材（２ａ，２ｂ）の上端係合部（１６ａ，１６ｂ）を上長穴部（８）へ、前記１対の長尺部材（２ａ，２ｂ）の下端係合部（１８ａ，１８ｂ）を下長穴部（２２ａ，２２ｂ）へとそれぞれ摺動自在かつ係止可能に挿着し、前記１対の長尺部材（２ａ，２ｂ）の上端係合部（１６ａ，１６ｂ）及び下端係合部（１８ａ，１８ｂ）を上長穴部（８）及び下長穴部（１２ａ，１２ｂ）内を摺動させることによって前記１対の長尺部材（２ａ，２ｂ）の斜交角度を変化させ上部材（１０）と下部材（１４）との間隔を広狭自在かつ前後進自在に変化させ所定の上下方向の間隔及び前後方向の位置で互いに固定させることができるようにしたことを特徴とする車椅子用肘掛け装置。
【請求項２】
前記上部材（１０）に手首固定手段（２４）を設けることにより、使用者（Ｈ）の手首を固定することができるようにしたことを特徴とする請求項１記載の車椅子用肘掛け装置。
【請求項３】
請求項１又は２記載の車椅子用肘掛け装置を座部の左右側方に設けられた側枠体に取り付けることにより、肘掛けが上下動可能かつ前後進可能となるようにしたことを特徴とする車椅子。
【発明の詳細な説明】
【０００１】
【発明の属する技術分野】
本発明は、上下動可能かつ前後進可能な車椅子用肘掛け装置及びそれを具備した車椅子に関する。
【０００２】
【関連技術】
従来、車椅子には、座部の左右側方の側枠体の上面に螺着された例えばプラスチック製の肘掛けが設けられており（図８）、被介護者が該肘掛けに肘をかけることにより快適に過ごせるように構成されている。
【０００３】
しかしながら、肩、腕や肘等を比較的自由に動かすことができる被介護者、又はそれに準じる程度に身体の麻痺の度合いが軽い被介護者が上記の車椅子に乗車してそのような肘掛けを使用した場合には、該肘掛けは快適に用いられるが、肩、腕や肘等を自由に動かすことができないような身体に重度の麻痺障害を負った被介護者が車椅子に乗車して上記の肘掛けを使用しようとした場合には、該肘掛けにかけた該被介護者の腕は簡単に該肘掛けから滑落し、車椅子の外側へと投げ出されてしまう。また、このように投げ出された際に腕に強い痛みを覚えることもある。
【０００４】
上記したような不具合があるので、重度の麻痺障害を負った被介護者が車椅子に乗車する際には、麻痺している腕を座部側に引き寄せてその者の手を膝の上に載せる等の対処を講じる必要があった。このようにして、被介護者が手を膝の上に載せた場合には、前記した肘掛けは全く用をなさない。
【０００５】
さらに、重度の麻痺障害を全身に負った被介護者が車椅子に乗車する場合には、該被介護者は体の自由がきかないため、時の経過とともに車椅子に乗車した該被介護者の全身は徐々に車椅子からずり落ち、体ごと車椅子から転落してしまう等の危険もあった。
【０００６】
【発明が解決しようとする課題】
本発明は、上記した問題点を解決するためになされたもので、上下動可能かつ前後進可能に構成することにより使用者の肘が快適な位置にかけられるようにし、身体に麻痺障害を負った被介護者でも快適に使用できる車椅子用肘掛け装置及びそれを具備した車椅子を提供することを目的とする。
【０００７】
【発明が解決しようとする手段】
上記課題を解決するために、本発明の車椅子用肘掛け装置は、それぞれの中央部を互いに回転自在に軸着した１対の長尺部材（２ａ，２ｂ）を有する支持部材（６）と、長手方向に長穴が形成された上長穴部（８）を有する上部材（１０）と、長手方向に１対の長穴が形成された下長穴部（１２ａ，１２ｂ）を有しかつ前記上部材（１０）に相対向するように所定間隔をおいて対設された下部材（１４）とからなり、前記上長穴部（８）の内側上面には前記長尺部材（２ａ，２ｂ）の上端係合部（１６ａ，１６ｂ）が係合可能である多数の上係合凹部（２０）が形成されると共に、前記下長穴部（１２ａ，１２ｂ）の内側下面には前記長尺部材（２ａ，２ｂ）の下端係合部（１８ａ，１８ｂ）が係合可能である多数の下係合凹部（２２ａ，２２ｂ）が形成されており、前記１対の長尺部材（２ａ，２ｂ）の上端係合部（１６ａ，１６ｂ）を上長穴部（８）へ、前記１対の長尺部材（２ａ，２ｂ）の下端係合部（１８ａ，１８ｂ）を下長穴部（２２ａ，２２ｂ）へとそれぞれ摺動自在かつ係止可能に挿着し、前記１対の長尺部材（２ａ，２ｂ）の上端係合部（１６ａ，１６ｂ）及び下端係合部（１８ａ，１８ｂ）を上長穴部（８）及び下長穴部（１２ａ，１２ｂ）内を摺動させることによって前記１対の長尺部材（２ａ，２ｂ）の斜交角度を変化させ上部材（１０）と下部材（１４）との間隔を広狭自在かつ前後進自在に変化させ所定の上下方向の間隔及び前後方向の位置で互いに固定させることができるようにしたことを特徴とする。
【０００８】
即ち、前記上長穴部（８）の内側上面及び前記下長穴部（１２ａ，１２ｂ）の内側下面には、前記長尺部材（２ａ，２ｂ）の上端係合部（１６ａ，１６ｂ）及び下端係合部（１８ａ，１８ｂ）が係合可能である多数の係合凹部（２０，２２ａ，２２ｂ）が形成されるように構成されていることによって、上部材（１０）と下部材（１４）との間隔を広狭自在かつ前後進自在に変化させ所定の上下方向の間隔及び前後方向の位置で互いに固定させることができる。
【０００９】
なお、前記上部材に手首固定手段を設けることにより、使用者の手首を固定することができるように構成することもできる。
【００１０】
本発明の車椅子は、前記本発明の車椅子用肘掛け装置を座部の左右側方に設けられた側枠体に取り付けることにより、肘掛けが上下動可能かつ前後進可能となるようにしたことを特徴とする。
【００１１】
【発明の実施の形態】
以下に、本発明の実施の形態を添付図面に基づいて説明するが、図示例はあくまでも例示的なものであり、本発明の技術思想から逸脱しない限り図示例以外にも種々の変形が可能なことはいうまでもない。
【００１２】
図１は本発明の肘掛け装置の一つの実施の形態を示す側面図、図２は本発明の肘掛け装置の別の実施の形態を示す側面図である。図３は本発明の肘掛け装置の上部材の下面側から見た斜視図、図４は本発明の肘掛け装置の一つの実施の形態を示す正面図である。図５は本発明の肘掛け装置のさらに別の実施の形態を示す側面図、図６は本発明の肘掛け装置のもう一つの実施の形態を示す斜視図である。図７は本発明の車椅子の一つの実施の形態を示す斜視図、図８は従来の車椅子に取り付けられている肘掛けの摘示拡大斜視図、図９は本発明の車椅子の使用例を示す斜視図である。
【００１３】
図１において、本発明の肘掛け装置Ａは、それぞれの中央部を互いに回転自在に軸着した１対の長尺部材２ａ，２ｂを有する支持部材６と、長手方向に長穴が形成された上長穴部８を有する上部材１０と、長手方向に長穴が形成された下長穴部１２ａ，１２ｂを有しかつ前記上部材１０に相対向するように所定間隔をおいて対設された下部材１４とからなり、前記１対の長尺部材２ａ，２ｂの上端係合部１６，１６ｂを上長穴部８へ、前記１対の長尺部材２ａ，２ｂの下端係合部１８ａ，１８ｂを下長穴部１２ａ，１２ｂへとそれぞれ摺動自在かつ係止可能に挿着し、前記１対の長尺部材２ａ，２ｂの上端係合部１６，１６ｂ及び下端係合部１８ａ，１８ｂを上長穴部８及び下長穴部１２ａ，１２ｂ内を摺動させることによって前記１対の長尺部材２ａ，２ｂの斜交角度を変化させ上部材１０と下部材１４との間隔Ｓを広狭自在に変化させ所定の間隔で互いに固定させることができるように構成されている。
【００１４】
上記したように、該１対の長尺部材２ａ，２ｂの上端係合部１６，１６ｂ及び下端係合部１８ａ，１８ｂを上長穴部８及び下長穴部１２ａ，１２ｂ内を摺動させることによって上部材１０と下部材１４との間隔Ｓを変化させて最も該間隔Ｓを狭くした状態を図２に示す。
【００１５】
図示の例では、該上端係合部１６，１６ｂ及び下端係合部１８ａ，１８ｂを、ネジ棒３４、ナット３６及びワッシャー３８によって上長穴部８及び下長穴部１２ａ，１２ｂに固定した例をしめしたが、蝶ねじ等を用いて固定してもよい。また、係合凹部に嵌合させる構成とすることもできる。
【００１６】
さらに、図３及び図４によく示されるごとく、上長穴部８は上部材１０の短手方向左右どちらかに偏倚して設けられる。このように構成することにより、使用者が本発明の肘掛けに肘をかけた際に該上部材１０が使用者の脇腹に接触してしまう等の不都合がなくなる。
【００１７】
また、支軸４としては、図示したようにネジ棒４０及びナット４２による締め付け部材を用いてもよいが、１対の長尺部材２ａ，２ｂを回転自在に軸着できるものであればよく、特別の限定はない。
【００１８】
前記下部材１４としては、図４によく示されるごとく、弧状に形成された部材を用いるのが特に好適である。このように構成することにより、車椅子等の側枠体に該下部材１４を隙間なくぴったりと取り付けることが可能となる。
【００１９】
なお、図５に示されるごとく、肘掛け装置Ａを使用する際には、該１対の長尺部材２ａ，２ｂの上端係合部１６ａ，１６ｂを上長穴部８内を摺動させることにより上部材１０を前進せしめて該上端係合部１６ａを上係合凹部２０の後端に係合し、かつ下端係合部１８ａ，１８ｂを下長穴部１２ａ，１２ｂ内を摺動させることにより下部材１４を後進せしめて該下端係合部１８ａ，１８ｂを下係合凹部２２ａ，２２ｂの後端にそれぞれ係合するように構成すれば、使用の際に使用者の肘が自然な状態で肘掛け装置Ａにかけられるし、また肘掛け装置Ａから肘が滑落するのを防ぐこともできる。
【００２０】
このように、使用者は該上端係合部１６ａ，１６ｂを該上係合凹部２０の適宜位置に係合させ下端係合部１８ａ，１８ｂを下係合凹部２２ａ，２２ｂの適宜位置に係合させることにより、該上部材１０及び該下部材１４を自在にそれぞれ前進せしめたり後進せしめたりすることにより、好みの形態で使用できる。また、該上部材１０及び該下部材１４を自在にそれぞれ前進せしめたり後進せしめたりできるため左右どちらの側枠体に取付けた際にも種々の形態をとることが可能となり、使用者の肘が自然な状態で肘掛け装置Ａにかけられることとなる。
【００２１】
図６において、本発明の肘掛け装置Ａには、上部材１０の長手方向適宜位置に使用者の手首を固定するための手首固定手段２４が設けられている。該手首固定手段２４としては、特に面ファスナーが好ましいが、使用者の手首を固定可能なものであればよい。該手首固定手段２４を設けることにより使用者の腕が肘掛け装置から滑落することが皆無となり、重度の麻痺を身体に負っている被介護者等が本発明の肘掛け装置を使用する際に特に好適に用いられる。なお、該手首固定手段２４は使用者の手首を固定することができるように該上部材１０の適宜位置に設けられればよく、特別の限定はない。また、図中ネジ棒３０及びナット３１は、肘掛け装置Ａを車椅子に取り付ける際に使用される。
【００２２】
図７において、本発明の肘掛け装置Ａは車椅子Ｗの左側枠体２８にネジ棒３０及びナット３１によって取り付けられている。図示の例では、本発明の肘掛け装置を該車椅子Ｗの左側枠体のみに取り付けた例を示したが、必要に応じて、左右両方の側枠体又は右側枠体のみに取り付けることもできる。なお、図示の例では間隔Ｓを最も狭くした状態の肘掛け装置Ａを示してある。
【００２３】
本発明の肘掛け装置の使用例を図９に示す。図９において、本発明の肘掛け装置Ａは車椅子Ｗの左右両方の側枠体に取り付けられ、使用者Ｈの座高に合わせて高さを調節してある。さらに使用者Ｈの両手首は前記手首固定手段２４により固定されている。このように使用することにより、使用者Ｈの背筋が伸びて肘が肘掛け装置Ａに固定されるため、肘が該肘掛け装置Ａから滑落することもなくなるし、体が車椅子Ｗからずり落ちてしまうこともなくなる。
【００２４】
なお、本発明の肘掛け装置は、車椅子に取り付けた際に特に好適に用いられるが、種々の椅子等に取り付けて使用することももちろん可能である。
【００２５】
【発明の効果】
以上述べたように、本発明の車椅子用肘掛け及び車椅子によれば、上下動可能かつ前後進可能に構成することにより使用者の肘が快適な位置にかけられるようにし、身体に麻痺障害を負った被介護者でも快適に使用できるという著大な効果が達成される。
【図面の簡単な説明】
【図１】  本発明の肘掛け装置の一つの実施の形態を示す側面図である。
【図２】  本発明の肘掛け装置の別の実施の形態を示す側面図である。
【図３】  本発明の肘掛け装置の上部材の下面側から見た斜視図である。
【図４】  本発明の肘掛け装置の一つの実施の形態を示す正面図である。
【図５】  本発明の肘掛け装置のさらに別の実施の形態を示す側面図である。
【図６】  本発明の肘掛け装置のもう一つの実施の形態を示す斜視図である。
【図７】  本発明の車椅子の一つの実施の形態を示す斜視図である。
【図８】  従来の車椅子に取り付けられている肘掛けの摘示拡大斜視図である。
【図９】  本発明の車椅子の使用例を示す斜視図である。
【符号の説明】
２ａ，２ｂ：長尺部材、４：支軸、６：支持部材、８：上長穴部、１０：上部材、１２ａ，１２ｂ：下長穴部、１４：下部材、１６ａ，１６ｂ：上端係合部、１８ａ，１８ｂ：下端係合部、２０：上係合凹部、２２ａ，２２ｂ：下係合凹部、２４：手首固定手段、２６：座部、２８：側枠体、３０，３４，４０：ネジ棒、３１，３６，４２：ナット、３２：従来の肘掛け、３３：取付ネジ、３８：ワッシャー、Ａ：肘掛け装置、Ｈ：使用者、Ｓ：間隔、Ｗ：車椅子。
【図１】
0003768844.tif 000002
【図２】
0003768844.tif 000003
【図３】
0003768844.tif 000004
【図４】
0003768844.tif 000005
【図５】
0003768844.tif 000006
【図６】
0003768844.tif 000007
【図７】
0003768844.tif 000008
【図８】
0003768844.tif 000009
【図９】
0003768844.tif 000010